(57)【要約】【課題】給電用のバッテリが邪魔にならないように配置された釣り装置を提供すること。【解決手段】リール本体１８に設けられた取付脚部１４ａを介して釣り竿１２に取付けられ、この取付脚部１４ａの側方に配置されたハンドル２２の回転による手動操作と、外部電源からの供給電力による電動操作とにより、リール本体１２に支えられたスプール２０に釣り糸ｔを巻回する釣り用リール１４と、リール本体１８内の駆動機構にハンドル２２の回転を伝達するハンドル軸２２ｂよりも前方側かつ前記取付脚部１４ａよりもハンドル２２側で、ハンドル２２との干渉を防止した位置に配置されたバッテリ１６とを備え、このバッテリ１６から釣り用リール１４に電力を供給可能とした釣り装置１０。【選択図】図２
2007252273.tif 000002
【特許請求の範囲】
【請求項１】
リール本体に設けられた取付脚部を介して釣り竿に取付けられ、この取付脚部の側方に配置されたハンドルの回転による手動操作と、外部電源からの供給電力による電動操作とにより、リール本体に支えられたスプールに釣り糸を巻回する釣り用リールと、前記リール本体内の駆動機構にハンドルの回転を伝達するハンドル軸よりも前方側かつ前記取付脚部よりもハンドル側で、回転する前記ハンドルとの干渉を防止した位置に配置されたバッテリとを備え、このバッテリから前記釣り用リールに電力を供給可能としたことを特徴とする釣り装置。
【請求項２】
前記釣り用リールは、取付脚部を挟んでハンドルの反対側に、外部電力源に接続可能な受電部を有し、この受電部と前記バッテリの電極とを給電コードで接続可能としたことを特徴とする請求項１に記載の釣り装置。
【請求項３】
前記給電コードは、釣り竿を挟んで前記釣り用リールの反対側で、釣り竿と交差する方向に延びることを特徴と請求項２に記載の釣り装置。
【請求項４】
前記バッテリは、少なくとも釣り用リールで支えられることを特徴とする請求項１から３のいずれか１つに記載の釣り装置。
【請求項５】
前記バッテリは、少なくとも釣り竿で支えられることを特徴とする請求項１から４のいずれか１つに記載の釣り装置。
【請求項６】
リール本体に設けられた取付脚部を介して釣り竿に取付けられ、この取付脚部の側方に配置されたハンドルの回転による手動操作と、前記取付脚部を挟んでハンドルと反対側に配置された受電部を介する外部電力源からの供給電力による電動操作とにより、リール本体に支えられたスプールに釣り糸を巻回する釣り用リールと、前記取付脚部よりもハンドル側に配置されたバッテリと、前記釣り用リールの反対側で釣り竿を跨いで延設され、このバッテリと前記受電部とを接続する給電コードとを備えることを特徴とする釣り装置。
【発明の詳細な説明】
【技術分野】
【０００１】
本発明は、釣り装置に関し、特に、釣り竿に取付けられ、ハンドルの回転による手動操作と、外部電源からの電力による電動操作とにより、釣り糸を巻回する釣り用リールを備えた釣り装置に関する。
【背景技術】
【０００２】
従来、船釣等の深場あるいは沖合いでの釣りには、電動式の釣り用リールを用いた釣り装置が使用されることが多い。このような釣り装置は、釣り竿と、この釣り竿に装着した電動式釣り用リールと、足元に置かれる例えば鉛蓄電離等の大きくかつ重い外部バッテリと、この外部バッテリと電動式釣り用リールとを接続する長い給電コードとからなるのが通常である。
【０００３】
このような釣り装置では、釣り竿の操作および釣り人の移動範囲が給電コードで制約を受ける。このため、例えば釣り人が自由に動き回って釣りをし、あるいは、しゃくり操作する等の釣りに必要な動作を思うように行うことができない。また、魚の当たりを取る際に給電コードで釣り竿が引かれてしまい、あるいは、給電コードから船等の振動が釣り用リールおよび釣り竿に伝わってしまう等の種々の不具合がある。
【０００４】
また、電動式の釣り用リールに小型の電池ボックスを直接取付けた釣り装置も開発されている。この釣り装置では、電極を兼ねる固定ネジを電池ボックスから突出させ、釣り用リールの後方すなわち釣り人側から、この電池ボックスを受電用端子に接続された取付用雌ネジに螺合して装着するものである（例えば特許文献１参照）。
【特許文献１】実開平３−７６４６５号公報
【発明の開示】
【発明が解決しようとする課題】
【０００５】
特許文献１に記載の釣り装置のように、釣り用リールに電池ボックスを直接取付ける場合には、従来の長い給電コードが釣り人の移動範囲あるいは動作を制約するという不具合を解消することができるとしても、この場合には、釣り用リールあるいは釣り竿の構造を大きく変更することが必要となる。また、実釣中は、釣り用リールの周りを握持する必要が多いにも係わらず、釣り用リールの後方に配置された電池ボックスが、釣り用リールに対して後方から手を差し延べて行う操作を妨害し、これにより、釣り用リールや釣り竿を充分に握持することができなくなり、あるいはスプールに巻かれた釣り糸を後方から押えるサミング操作の邪魔になる等の不都合が生じる。
【０００６】
このため、給電用のバッテリが給電コードによる不具合を解消することは可能であるとしても、実釣中における釣り竿あるいは釣り用リールの操作を阻害しない状態に給電用のバッテリを配置することは極めて困難である。
【０００７】
本発明は、このような事情に基づいてなされたもので、給電用のバッテリが邪魔にならないように配置された釣り装置を提供することを目的とする。
【課題を解決するための手段】
【０００８】
上記課題を解決するため、本発明によると、リール本体に設けられた取付脚部を介して釣り竿に取付けられ、この取付脚部の側方に配置されたハンドルの回転による手動操作と、外部電源からの供給電力による電動操作とにより、リール本体に支えられたスプールに釣り糸を巻回する釣り用リールと、前記リール本体内の駆動機構にハンドルの回転を伝達するハンドル軸よりも前方側かつ前記取付脚部よりもハンドル側で、回転する前記ハンドルとの干渉を防止した位置に配置されたバッテリとを備え、このバッテリから前記釣り用リールに電力を供給可能とした釣り装置が提供される。
【０００９】
前記釣り用リールは、取付脚部を挟んでハンドルの反対側に、外部電力源に接続可能な受電部を有する場合には、この受電部と前記バッテリの電極とを給電コードで接続することができる。
【００１０】
前記給電コードは、釣り竿を挟んで前記釣り用リールの反対側で、釣り竿と交差する方向に延びてもよい。
【００１１】
また、前記バッテリは、少なくとも釣り用リールあるいは釣り竿で支えられることが好ましい。
【００１２】
更に、リール本体に設けられた取付脚部を介して釣り竿に取付けられ、この取付脚部の側方に配置されたハンドルの回転による手動操作と、前記取付脚部を挟んでハンドルと反対側に配置された受電部を介する外部電源からの供給電力による電動操作とにより、リール本体に支えられたスプールに釣り糸を巻回する釣り用リールと、前記取付脚部よりもハンドル側に配置されたバッテリと、前記釣り用リールの反対側で釣り竿を跨いで延設され、このバッテリと前記受電部とを接続する給電コードとを備える釣り装置が提供される。
【発明の効果】
【００１３】
このような本発明によると、釣り用リールの外部電力源であるバッテリがハンドル軸よりも前方側かつ前記取付脚部よりもハンドル側で、回転する前記ハンドルとの干渉を防止した位置に配置されることにより、釣り人は長い給電コードによる制約を受けずに自由に動くことができるだけでなく、バッテリで妨害されずに釣り用リールを操作に必要な方向から握持し、手で確実に持ちながら自由に操作することができる。
【００１４】
釣り用リールが、取付脚部を挟んでハンドルの反対側に、外部電力源に接続可能な受電部を有する場合には、この受電部とバッテリの電極とを給電コードで接続することで、ハンドル操作を給電コードが邪魔することもなく、更に、取付けおよび取外しを容易に行うことができる。
【００１５】
給電コードが釣り竿を挟んで釣り用リールの反対側で、釣り竿と交差する方向に延びる場合には、この給電コードが釣り糸の出入りを邪魔することなく、釣り糸の繰出しおよび巻取り操作を滑らかに行うことができる。
【００１６】
また、バッテリは、少なくとも釣り用リールあるいは釣り竿で支えられることにより、バッテリが釣り用リールあるいは釣り用リールに一体化され、動きが滑らかとなる。
【００１７】
更に、外部電源がハンドルの反対側に配置された釣り用リールについて、バッテリを釣り用リールのハンドル側に配置し、このバッテリと受電部とを給電コードで接続することにより、リール本体内の駆動機構にハンドルの回転を伝達するハンドル軸が前方に配置されている場合でも、釣り糸の出入りを邪魔することがない。
【発明を実施するための最良の形態】
【００１８】
図１および図２は、本発明の好ましい実施形態による釣り装置を示す。
【００１９】
図示のように、本実施形態の釣り装置１０は、釣り竿１２に釣り用リール１４を取付け、この釣り用リール１４にバッテリ１６を装着することで形成してある。
【００２０】
この釣り用リール１４は、リール本体１８の両側に配置した一対の側板１８ａ，１８ｂ間に、図示しないスプール軸を介してスプール２０が回転可能に支持されている。先端にハンドルノブ２２ａを有するハンドル２２が側板１８ａ側に配置され、この側板１８ａで支えられたハンドル軸２２ｂを介して、このハンドル２２の回転をリール本体１８内に配置された駆動機構に伝達することができる。
【００２１】
通常と同様に、このスプール２０は、一側の側板１８ａに設けたハンドル２２を介する手動操作で形成される駆動力により、リール本体１８内に配置された公知の駆動機構を介して回転され、あるいは、リール本体１８のスプール２０前方の側板１８ａ，１８ｂ間にモータケースを介して収容された公知のスプール駆動モータにバッテリ１６から電力供給する電動操作で形成される駆動力により、動力伝達機構を介して減速回転され、このスプール２０上に釣り糸ｔが巻回される。
【００２２】
電動操作によ駆動力で釣り糸ｔを巻取る際は、リール本体１８に通常と同様に取付けられたスプール駆動モータのモータ出力調節用操作部を操作することにより、リール本体１８に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプール２０の回転速度、つまり、釣り糸の巻取り速度を制御することができる。
【００２３】
このリール本体１８の上面の前方部位には、通常の電動リールと同様に、制御部Ａ（図７参照）を配置してあり、例えば、釣り糸ｔの繰出し量（糸長）、棚位置等の種々の制御機能，制御条件等を表示する液晶表示部を配置し、更に、棚位置を設定する棚取りボタン、糸長計測値の値をゼロにリセットするリセットボタン、および、押込んでいるときにのみスプール駆動モータを駆動させ、解放したときに停止して微妙な巻上操作を可能とする寸動ボタン等の種々のボタンあるいはスイッチ類を配置してある。
【００２４】
通常と同様に、リール本体１８には、クラッチ機構（図示しない）も設けられており、このクラッチ機構を通じて、スプール軸に駆動連結するスプール駆動モータあるいはハンドル２２で形成される駆動力を、スプール２０に伝達しあるいはスプール２０から遮断することができる。クラッチ機構がスプール軸をスプール駆動モータおよびハンドル２２から分離した状態（スプールフリー状態）で、ハンドル２２を回転させると、図示しない復帰機構を介して、スプール軸が元の状態（巻取状態）に復帰する。これにより、スプール軸と一体化されているスプール２０を、スプール駆動モータあるいはハンドル２２が形成する駆動力で回転することができる。符号２３は、スプール２０が釣り糸繰出し方向に滑り出すときのドラグ力を調整するドラグノブを示す。
【００２５】
更に、リール本体１８の下部前方の、ハンドル２２側の側板１８ａの下部で、リール本体１８を保持した手と干渉しない位置に、外部電力源に接続される受電部２４を下方に向けて設けてある。この受電部２４はリール本体１８内のスプール駆動モータに外部電力源から電力を供給するもので、例えば船の電力源、発電機、大型バッテリ等の外部電源から延びる通常の給電コードのプラグであるケーブルコネクタ（図示しない）を相手方コネクタとして嵌合するものであってもよい。あるいは、バッテリ１６のみを電気的かつ機械的に連結するものであってもよい。いずれの場合も、この受電部２４は、リール本体１８内に水が浸入するのを防止する防水構造の例えば雌型コネクタとして形成し、この雌型コネクタの周部には相手方コネクタに設けられるナット部材を螺合するためのネジ部（図示しない）を設けておくのが好ましい。
【００２６】
このような釣り用リール１４を釣り竿１２に取付けるため、リール本体１８には釣り竿１２の長手方向軸線１２ａに沿って前後方向に延びる取付脚部１４ａがその下側に配置されている。また、釣り竿１２には、この取付脚部１４ａを介して、釣り用リール１４を取付けるためのリールシート１２ａが設けられている。このリールシート１２ａは、取付脚１４ａが載置される取付脚載置面８の前方に、取付脚部１４ａの先端部を受入れる固定カバー６ａを配置し、後方に配置した移動カバー６ｂを、ナット状に形成される締付け部６ｃにより釣り竿１２の軸線１２ａに沿って前後動させることができる。
【００２７】
このリールシート１２ａに釣り用リール１４を取付ける場合は、釣り用リール１４の取付脚１４ａの先端部をこのリールシート１２の固定カバー６ａ内に挿入した状態で、取付脚部１４ａを取付脚載置面８上に載置する。この後、締付け部６ｃを回転させつつ取付脚部１４ａの後端部を移動カバー６ｂ内に収容して前方に押込み移動させると、釣り用リール１４の取付脚部１４ａは、固定カバー６ａおよび移動カバー６ｂ間で挟持されつつ取付脚載置面８上に押圧される。これにより、取付脚部１４ａがリールシート１２ａに強固に取付けられる。逆に、締付け部６ｃをねじ戻して移動カバー６ｂを後方に移動することにより、釣り竿１２のリールシート１２ａから釣り用リール１４を取外すことができる。
【００２８】
本実施形態では、このように一体的に取付けられた釣り竿１２および釣り用リール１４と共に釣り装置１０を形成するバッテリ１６は、例えばリチウムイオン電池等の携帯可能な小型かつ軽量構造に形成されている。
【００２９】
このバッテリ１６は、外部を樹脂製の外装部材で覆った密閉構造に形成され、先端側に設けた給電部２６に締付用ナット部材２８を配置してある。この給電部２６は、バッテリ１６の電極を形成する例えば雄型コネクタとして形成してある。また、この給電部２６に設けられたナット部材２８は、この給電部２６で自由に回転することができる状態で抜け止めされており、その周部に形成した刻み目により、取付けおよび取外しの際に指が掛かりやすくしてある。なお、このナット部材２８は、釣り用リール１４の受電部２４に設けてもよい。
【００３０】
このように形成されたバッテリ１６を釣り用リール１４に取付ける場合は、給電部２６の雄型コネクタを釣り用リール１４の受電部２４に配置されたコネクタに嵌合し、ナット部材２８をそのネジ部に締め付ける。これにより、受電部２５と給電部２６とのそれぞれの電気端子（図示しない）が電気的に接続され、スプール２０を駆動するための電力をこの釣り用リール１４にバッテリ１６から供給することができる。このナット部材２８を、受電部２４のネジ部に螺合することにより、受電部２４と給電部２６との結合部が外部から水等が侵入するのを防止する液密構造とされると共に、このバッテリ１６と釣り用リール１４とが一体的に強固に固定される。これにより、釣り装置１０は、上述の釣り竿１２と釣り用リール１４とバッテリ１６とで一体的なユニット構造に形成される。
【００３１】
図１に示すように、本実施形態では、釣り用リール１４にスプール駆動モータ用電力を供給するバッテリ１６が、リール本体１８内の駆動機構にハンドル２２の回転を伝達するハンドル軸２２ｂよりも前方側で、図２に示すように、長手方向軸線１２ａを含みかつ取付脚載置面８に垂直な面Ｄ１とハンドル２２が回転する際に形成するハンドル移動面Ｄ２との間の位置、具体的には取付脚部１４ａよりもハンドル２２側で、回転するハンドル２２との干渉を防止した位置に配置されており、これらのバッテリ１６と釣り用リール１４とはリール本体１８の受電部２４とバッテリ１６の給電部２６とを介して直接かつ強固に連結される。
【００３２】
このように釣り装置１０にバッテリ１６が配置されることにより、釣り人は従来のような長い給電コードによる制約を受けずに自由に動くことができるだけでなく、バッテリ１６で妨害されずに釣り用リール１４を操作に必要な方向から握持し、手で確実に持ちながら自由に釣り操作することができる。すなわち、給電用バッテリ１６を装着した場合であっても、このようなバッテリ１６を装着してない状態と同様に釣り用リール１４を握持することができ、リール本体１８のスプール駆動モータに電力を供給しながら、サミング操作等の必要な釣り操作、および、その行動範囲が何等制約を受けることもない。
【００３３】
しかも、バッテリ１６を連結する受電部２４は、リール本体１８の下部前方の、ハンドル２２側の側板１８ａの下部で、リール本体１８を保持した手と干渉しない位置に配置され、この受電部２４に、バッテリ１６の給電部２６を直接連結することにより、釣り用リール１４に予めバッテリ１６を一体的に固定した状態で釣り竿１２に取付けおよび取外し操作することができる。釣り用リール１４に対するバッテリ１６の着脱、および、釣り竿１２に対する釣り用リール１４の着脱のいずれも、他の部材から邪魔されず、迅速かつ確実に行うことができる。また、バッテリ１６がガタツクことが無いため、釣り装置１０の釣り操作を滑らかに行うことができる。
【００３４】
図３および図４は、他の実施形態による釣り装置１０Ａを示す。なお、以下に説明する種々の実施形態あるいは変形例は、基本的には上述の実施形態と同様であり、したがって、同様な部位には同様な符号を付し、その詳細な説明を省略する。
【００３５】
この実施形態の釣り装置１０Ａでは、釣り用リール１４の受電部２４がハンドル２２と反対側の側板１８ｂに設けられている。また、ハンドル２２側の側板１８ａには、例えばステンレス鋼あるいはチタン合金等の金属、あるいは合成樹脂等の適宜の材料で形成されたバッテリケース３０が本実施形態では２つの取付用タブ３１を介してねじ止めされ、このバッテリケース３０を介してバッテリ１６が釣り用リール１４に取付けられている。そして、受電部２４と給電部２６とが、比較的短い給電コード３２で接続されている。バッテリ１６が釣り用リール１４で一体化された状態で支えられ、これにより、釣り竿１２と釣り用リール１４とバッテリ１６とからなる釣り装置１０Ａの全体を滑らかに移動操作することができる。
【００３６】
また、給電コード３２は、釣り竿１２の下側すなわち釣り竿１２を挟んで釣り用リール１４の反対側で、不要なたるみを生じない状態でこの釣り竿１２と交差する方向に延び、受電部２４および給電部２６のそれぞれに、ナット部材３２ａ，３２ｂにより液密状態に強固に連結されている。給電コード３２が釣り糸ｔの出入りの邪魔となることなく、釣り糸ｔの繰出しおよび巻取り操作を滑らかに行うことができる。また、受電部２４および給電部２６の周部に障害物が配置されていないため、ナット部材３２ａ，３２ｂの着脱を容易に行うことができる。
【００３７】
本実施形態のバッテリケース３０は、前方端部が開口しかつ後方端部が閉じた円筒状形状を有し、釣り竿１２の長手方向軸線１２ａに対して前方を上方に傾斜させた状態に取付けられている。このバッテリケース３０は、バッテリ１６が密に嵌合する収容部３０ａを形成し、ガタツキを防止した状態にバッテリ１６を収容することができ、その形状も、円筒状形状に限らず、種々の形状に形成することができる。
【００３８】
このように、ハンドル２２と反対側に受電部２４が配置されている場合でも、ハンドル軸２２ｂよりも前方側かつ取付脚部１４ａよりもハンドル２２側で、ハンドル移動面Ｄ２との干渉を防止した位置にバッテリ１６を配置し、このバッテリ１６の給電部２６と釣り用リール１４の受電部２４とを給電コード３２で接続することで、ハンドル２２の操作をバッテリ１６および給電コード３２が邪魔することもなく、更に、バッテリ１６および給電コード３２の取付けおよび取外しを容易に行うことができる。すなわち、ハンドル２２の反対側に位置する受電部２４にバッテリ１６を直接取付けると邪魔になるような場合であっても、釣り用リール１４の握持操作に必要な充分なスペースを確保しつつ、ハンドル操作および種々の釣り操作の障害とならない位置にバッテリ１６を配置し、使い勝手のよい釣り装置１０Ａを提供することができる。
【００３９】
なお、この実施形態におけるバッテリケース３０は、側壁部が円筒状形状に形成されているが、この側壁部および後方の端壁部にわたって切込み部を形成し、収容部３０ａの内径をある程度増減可能な弾性構造に形成してもよい。この場合には、バッテリケース３０の弾力により、でバッテリ１６の着脱が容易になると共に、バッテリ１６を確実に保持することができる。
【００４０】
なお、バッテリ１６は、給電部２６が釣り装置１０Ａの前方側となるように配したが、給電部２６が釣り装置１０Ａの後方側を向くように取付けてもよい。
【００４１】
図５および図６は、更に他の実施形態による釣り装置１０Ｂを示す。  
この釣り装置１０Ｂは、上述の実施形態におけるバッテリケース３０に代えて、バッテリホルダ３４を介して支えられている。
【００４２】
このバッテリホルダ３４は、バッテリ１６を保持する筒状の保持部３６を備え、この保持部３６の内部空間がバッテリ１６を収納する収納部を形成する。この保持部３６は、バッテリ１６をその基端側すなわち給電コード３２が延出される先端側とは反対側の端部から受入れる開口３６ａを一端側に有し、他端側は底壁３６ｂで閉じられている。この保持部３６には、底壁３６ｂから周壁部の全長に添って延びる切欠き部３８が形成されており、これにより、保持部３６の開口３６ａおよび内部空間を拡径あるいは縮径させて、バッテリ１６の装着および取外しを容易に行うことができる。更に、この保持部３６の周壁部に、締付手段４０が設けられている。本実施形態の締付手段４０は、開口３６ａの近部で切欠き部３８を臨む一側に固定されて、先端に雄側面ファスナを設けた可撓性のベルトと、他側に固定された雌側面ファスナを設けた受部とで形成され、保持部３６内に収容したバッテリ１６を締付けて保持することができる。
【００４３】
このように形成した保持部３６は、底壁３６ｂ側に設けた連結部４２を介して取付部４４に連結される。この取付部４４は、釣り竿１２のリールシート１２ａに取付けられ、このように釣り竿１２に取付けられるバッテリホルダ３４により、バッテリ１６が釣り竿１２で支えられる。この連結部４２は、バッテリ１６を釣りの操作の邪魔にならない、例えば上述の面Ｄ１，Ｄ２間に配した状態に保持部３６を保持する。この連結部４２は折り曲げて変形させることができ、釣り装置１０Ｂの必要に応じてバッテリ１６を適当位置に配置できる。例えば、ハンドル軸２２ｂが前方に配置されていたりハンドル２２がリール本体１８に近い位置に配置されている場合でも、バッテリ１６をハンドル２２の回転から外れた位置に配置することができる。
【００４４】
本実施形態の連結部４２は、前縁側が後縁側よりも短く形成され、保持部３６の開口端３６ａ側を上方側に傾斜させた状態とする。これにより、バッテリ１６は釣り竿１２の軸線ｃに対して傾斜させて取付けられる。給電コード３２は釣り竿１２の下側をくぐらせた状態で、反対側に位置する受電部２４に接続される。
【００４５】
リールシート１２ａの取付脚載置面８に固定される取付部４４は、細長く形成した板状形状を有する。この取付部４４の長手方向の各端部は、リールシート１２ａの固定カバー６ａおよび移動カバー６ｂの内側に差込まれる。この細長い板状形状の取付部４４は、取付脚部１４ａの側方に露出する一側（ハンドル２２側）から、上述の連結部４２が延び、他側（ハンドル２２の反対側）から、リールシート１２ａに釣り用リール１４を取付けたときに、取付脚部１４ａの側面に当接する突片（図示しない）を抜け止め用として上方に突出させてある。これらの連結部４２および突片は、釣り用リール１４を取付けたときにリールシート１２ａの固定カバー６ａおよび移動カバー６ｂと干渉することなくこれらの間に配置されるものであれば、取付部４４の適宜の位置に配置することも可能である。
【００４６】
このようなバッテリホルダ３４は、その全体を、ステンレス鋼あるいはチタン合金等の金属、あるいは合成樹脂等の適宜の材料を用いて一体構造に形成することが好ましい。特に取付部４４は薄肉で高強度の金属で形成することにより、この取付部４４をリールシート１２ａに取付ける際、釣り用リール１４の取付脚部１４ａの下に重ねて前後の端部を固定カバー６ａおよび移動カバー６ｂ内に十分に挿入させて、抜け止めすることが可能である。これらの固定カバー６ａおよび移動カバー６ｂ内で抜け止め作用をなす各端部は、先細状に形成しあるいは他の部分よりも薄肉構造に形成することも可能である。
【００４７】
このバッテリホルダ３４は、予め保持部３６にバッテリ１６を収納して締付手段４０を締付けた状態で取付部４４をリールシート１２ａに取付けることができる。勿論、バッテリ１６を交換する場合等には、取付部４４をリールシート１２ａに固定した状態で保持部３６から消耗したバッテリ１６を取外し、新しいバッテリ１６に交換することも可能である。いずれの場合も、取付部４４をリールシート１２ａに取付ける場合は、リールシート１２ａの移動カバー６ｂを後方に移動した後、取付部４４の前端部を固定カバー６ａ内に挿入して取付脚載置面８上に載置する。この取付部４４に重ねて、釣り用リール１４の取付脚部１４ａを載置する。バッテリホルダ３４の連結部４２は取付脚部１４ａから側方に延び、反対側の縁部に形成される突片が取付脚部１４ａの他側に係合状態に配置される。この後、締付け部６ｃを回転しつつ移動カバー６ｂを前方に移動し、取付脚部１４ａおよび取付部４４を取付脚載置面８上に強固に押圧させることにより、釣り用リール１４およびバッテリホルダ３４の取付けが完了して釣り装置１０Ｂが形成される。そして、このバッテリホルダ３４の保持部４２によりハンドル２２側に配置されたバッテリ１６の給電部２６から、釣り用リール１４の受電部２４に給電コード３２を延設し、ナット部材３２ａ，３２ｂを締付けると、このバッテリ１６から釣り用リール１４に電力を供給することができる。
【００４８】
このように取付部４４が魚釣用電動リール１４の取付脚部１４ａと取付脚部載置面８との間に挟持された状態で強固に締付け保持されることにより、魚釣用電動リール１４を釣り竿に取付ける際に、極めて簡単に取付けることができると共に、締付具４０で保持部３６に保持されてがたつきが防止された安定した状態でバッテリ１６を保持することができる。しかも、釣り用リール１４の側板１８ｂの下側が握持でき、また、連結部４２がバッテリ１６と釣り竿１２との間にスペースを形成するように釣り用リール１４の下方側に配置するため、釣り竿１２の握持ができ、このバッテリ１６が魚釣操作の邪魔になることもない。
【００４９】
図７は、実釣中における釣り装置１０（１０Ａ，１０Ｂ）の握持領域を示す。  
それぞれに斜線を付して示すように、領域４６はハンドル２２と反対側を握持する際の領域を示し、ハンドル２２を回転操作する際あるいは釣り用リール１４の上側に配置した制御部Ａを操作する際に釣り用リール１４を握持する領域である。ハンドル２２の回転領域は符合４８で示してある。この領域４８の最も釣り竿１２に近接した部位に、上述の面Ｄ２が形成される。また、領域５０は親指でスプール２０上の釣り糸ｔに触れるサミング操作の際に握持する領域を示し、領域５２は、左手で領域４６，５０を握持する際に、釣り用リール１４の下側から左手の指先を当てがう領域を示し、釣り用リール１４の下側に配置される。また、領域５４は、釣り糸ｔを繰出す際および巻き取る際に、この釣り糸ｔが通過する領域を示す。
【００５０】
この図から明らかなように、いずれの実施形態においても、バッテリ１６は、領域４６〜５２のいずれとも干渉しない位置、すなわち釣り用リール１４の取付脚部１４ａよりもハンドル２２側で、ハンドル軸２２ｂよりも前方側かつハンドル移動面Ｄ２との干渉を防止した位置に配置されている。
【００５１】
したがって、上述の釣り装置１０，１０Ａ，１０Ｂでは、給電用のバッテリ１６が釣り操作の邪魔にならない位置に配置される。
【図面の簡単な説明】
【００５２】
【図１】本発明の好ましい実施形態による釣り装置の説明図。
【図２】図１の釣り装置を後方側から見た状態の部分断面図。
【図３】他の実施形態による釣り装置の図１と同様な説明図。
【図４】図３に示す釣り装置を後方側から見た状態の部分断面図。
【図５】更に他の実施形態による釣装置の図１と同様な説明図。
【図６】図５に示す釣り装置を後方側から見た状態の部分断面図。
【図７】実釣中に釣り装置を握持する領域を概略的に示す説明図。
【符号の説明】
【００５３】
１０…釣り装置、１２…釣り竿、１４…釣り用リール、１４ａ…取付脚部、１６…バッテリ、１８…リール本体、２０…スプール、２２…ハンドル、２２ｂ…ハンドル軸、釣り糸…ｔ。
【図１】
2007252273.tif 000003
【図２】
2007252273.tif 000004
【図３】
2007252273.tif 000005
【図４】
2007252273.tif 000006
【図５】
2007252273.tif 000007
【図６】
2007252273.tif 000008
【図７】
2007252273.tif 000009